(57)【要約】【課題】充電プラグが外れにくいコンセントユニットにすること。【解決手段】充電プラグ９２が差し込まれるプラグ差込口を備えたコンセント１１と、プラグ差込口を覆うように閉方向にばね付勢された被覆部２２を備え、前記被覆部には、プラグ差込口に挿された充電プラグを保持する保持部２６を備えたコンセントユニットであって、充電プラグを保持した被覆部が開方向に移動することを規制する規制部８１を備えた構成とする。【選択図】図１０
2020047531.tif 000002
【特許請求の範囲】
【請求項１】
充電プラグが差し込まれるプラグ差込口を備えたコンセントと、
プラグ差込口を覆うように閉方向にばね付勢された被覆部を備え、
前記被覆部には、プラグ差込口に挿された充電プラグを保持する保持部を備えたコンセントユニットであって、
充電プラグを保持した被覆部が開方向に移動することを規制する規制部を備えたコンセントユニット。
【請求項２】
規制部を操作可能な操作片を規制部に連結した請求項１に記載のコンセントユニット。
【請求項３】
被覆部は蝶番部を介して本体部に連結されており、
充電プラグを被覆部で保持した状態において、規制部は、蝶番部と反対側の端部における最も背面側に位置する部位で被覆部と当接することで、被覆部が開方向に移動することを規制する請求項１又は２に記載のコンセントユニット。
【請求項４】
規制部は本体部に軸支された請求項１から３の何れかに記載のコンセントユニット。
【請求項５】
操作片と本体部の一方に、錠部を通過させる孔部を形成し、
他方に錠部が当接する当接部を形成し、
規制部が被覆部の開方向への移動を規制した状態とした際に、
一方の孔部に錠部を通過させることによって、
錠部が当接部に当接し操作片の移動を規制する
請求項２に記載のコンセントユニット。
【請求項６】
充電プラグを保持した状態において、充電プラグが前面側に移動することを規制する抑制部を設けた請求項１から５の何れかに記載のコンセントユニット。
【請求項７】
充電プラグが差し込まれるプラグ差込口を備えたコンセントと、
プラグ差込口を覆うことが可能な被覆部を備え、
前記被覆部には、プラグ差込口に挿された充電プラグを保持する保持部を備えたコンセントユニットであって、
充電プラグを被覆部に保持した状態において、充電プラグが前面側に移動することを規制する抑制部を設けたコンセントユニット。
【発明の詳細な説明】
【技術分野】
【０００１】
本発明は、コンセントユニットに関するものである。
【背景技術】
【０００２】
特許文献１に記載されているように、車両への充電を行うためにコンセントユニットを用いることが知られている。コンセントユニットは、充電プラグを差し込むために用いられるプラグ差込口の不使用時に、このプラグ差込口を覆う被覆部を設けることが知られている。この被覆部は、充電プラグが抜けることを防止するための嵌合部を設けている。
【先行技術文献】
【特許文献】
【０００３】
【特許文献１】特開２０１２−２４３６１１号公報
【０００４】
ところで、特許文献１に記載されたような構成では、被覆部に設けられた嵌合部は、充電プラグとの嵌合を維持する力が弱いため、それほど強い力を加えなくても充電プラグが抜けてしまう虞があった。
【発明の概要】
【発明が解決しようとする課題】
【０００５】
本件の発明者は、この点について鋭意検討することにより、解決を試みた。本発明の課題は、充電プラグが外れにくいコンセントユニットにすることである。
【課題を解決するための手段】
【０００６】
上記課題を解決するため、充電プラグが差し込まれるプラグ差込口を備えたコンセントと、プラグ差込口を覆うように閉方向にばね付勢された被覆部を備え、前記被覆部には、プラグ差込口に挿された充電プラグを保持する保持部を備えたコンセントユニットであって、充電プラグを保持した被覆部が開方向に移動することを規制する規制部を備えたコンセントユニットとする。
【０００７】
また、規制部を操作可能な操作片を規制部に連結した構成とすることが好ましい。
【０００８】
また、被覆部は蝶番部を介して本体部に連結されており、
充電プラグを被覆部で保持した状態において、規制部は、蝶番部と反対側の端部における最も背面側に位置する部位で被覆部と当接することで、被覆部が開方向に移動することを規制する構成とすることが好ましい。
【０００９】
また、規制部は本体部に軸支された構成とすることが好ましい。
【００１０】
また、操作片と本体部の一方に、錠部を通過させる孔部を形成し、他方に錠部が当接する当接部を形成し、規制部が被覆部の開方向への移動を規制した状態とした際に、一方の孔部に錠部を通過させることによって、錠部が当接部に当接し操作片の移動を規制する構成とすることが好ましい。
【００１１】
また、充電プラグを保持した状態において、充電プラグが前面側に移動することを規制する抑制部を設けた構成とすることが好ましい。
【００１２】
また、充電プラグが差し込まれるプラグ差込口を備えたコンセントと、プラグ差込口を覆うことが可能な被覆部を備え、前記被覆部には、プラグ差込口に挿された充電プラグを保持する保持部を備えたコンセントユニットとする。
【発明の効果】
【００１３】
本発明では、充電プラグを保持する被覆部が移動することを規制して充電プラグが外れにくいコンセントユニットにすることが可能となる。
【図面の簡単な説明】
【００１４】
【図１】充電プラグか差し込まれたコンセントユニットの斜視図である。但し、カバー部は開放状態に位置している。
【図２】充電プラグか差し込まれたコンセントユニットの側面図である。但し、カバー部は開放状態に位置している。
【図３】コンセントユニットの分解斜視図である。但し、前面側が見えるように表している。
【図４】コンセントユニットの分解斜視図である。但し、後面側が見えるように表している。
【図５】本体部に充電プラグが差し込まれた状態を表した斜視図である。但し、規制部は被覆部が開方向に移動することを規制していない。
【図６】本体部に充電プラグが差し込まれた状態を表した断面図である。但し、規制部は被覆部が開方向に移動することを規制していない。
【図７】本体部の斜視図である。ただし、規制部が収納部に収まっている。
【図８】本体部の斜視図である。ただし、規制部が収納部の先端が前側に延びるように位置している。
【図９】本体部に充電プラグが差し込まれた状態を表した斜視図である。但し、規制部は被覆部が開方向に移動することを規制している。
【図１０】本体部に充電プラグが差し込まれた状態を表した断面図である。但し、規制部は被覆部が開方向に移動することを規制している。
【図１１】本体部に充電プラグが差し込まれた状態で、充電プラグの前面側への移動を規制する面ファスナーからなる抑制部を形成した状態を表した斜視図である。但し、規制部は被覆部が開方向に移動することを規制している。
【図１２】本体部に充電プラグが差し込まれた状態で、充電プラグの前面側への移動を規制する充電プラグ前面を覆う抑制部を形成した状態を表した斜視図である。但し、規制部は被覆部が開方向に移動することを規制している。
【図１３】錠部により操作片を規制した状態を表した拡大斜視図である。
【図１４】錠部により操作片を規制した状態を表した他の実施形態の斜視図である。
【図１５】錠部により操作片を規制した状態を表した他の実施形態の斜視図である。
【発明を実施するための形態】
【００１５】
以下に発明を実施するための形態を示す。図１乃至図４に示されていることから理解されるように、本実施形態のコンセントユニット１は、充電プラグ９２が差し込まれるプラグ差込口を備えたコンセント１１と、プラグ差込口を覆うように閉方向にばね付勢された被覆部２２を備え、前記被覆部２２には、プラグ差込口に挿された充電プラグ９２を保持する保持部２６を備えている。また、このコンセントユニット１は、充電プラグ９２を保持した被覆部２２が開方向に移動することを規制する規制部８１を備えている。このため、充電プラグ９２が外れにくいコンセントユニット１にすることが可能となる。
【００１６】
実施形態のコンセントユニット１は、車の充電に用いる充電プラグ９２を接続することができる。充電プラグ９２を接続するコンセント１１は、充電プラグ９２を斜め下方向から差し込めるように本体部１２に設けられている。また、このコンセントユニット１は、下面と本体部１２側が開口したカバー部１３が備えられている。
【００１７】
実施形態のコンセントユニット１は、設置面に固定される本体部１２に対して、カバー部１３が上下方向に摺動できるように取り付けられている。カバー部１３が下方に位置している状態は閉塞状態であり、図１及び図２に示すように、充電プラグ９２が見えやすいようにカバー部１３が上方に位置している状態は開放状態である。実施形態では、カバー部１３がスムーズに上下移動できる。このようなことを可能にするため、図３に示すように、本体部１２には、長手方向が上下方向となるガイド部１５が設けられている。また、このガイド部１５に沿って移動するため、カバー部１３には、レール状のガイド部３８を備えている（図４参照）。なお、カバー部１３の上下方向の移動範囲を規制するため、本体部１２には突起部１９が設けられており、この突起部１９に当接可能な突起部（図示せず）をカバー部１３に備えている。
【００１８】
ここで、本体部１２について説明する。本体部１２は、上部にコンセント１１などが配置されており、これらの電気機器を覆うように覆い部２１が設けられている。コンセント１１の接続口は、この覆い部２１の下方から充電プラグ９２を接続することができるように配置されている。なお、コンセント１１の接続口は、通常、プラグを接続していないときは、閉方向にばね付勢された板状の被覆部２２により覆われており、この被覆部２２を蝶番部７１により回動させて開くことにより、充電プラグ９２をコンセント１１と接続させることができる。なお、実施形態の被覆部２２には、前側の端部から下方に延びるフック片２７を備えており被覆部２２を開く操作を容易にしている。
【００１９】
図３及び図４に示すことから理解されるように、実施形態の本体部１２の上部には覆い部２１が設けられているが、覆い部２１の下方には、充電プラグ９２を接続する際に利用されるスペースが設けられている。また、本体部１２の後方側は、壁面などに取り付けることができるように、略平らな板状に設けられている。この本体部１２の後方側には、コンセント１１に繋がる電源線が通過可能な開口孔２３が設けられている。
【００２０】
図５及び図６に示すことから理解されるように、実施形態の被覆部２２には、プラグ差込口に挿された充電プラグ９２を保持する保持部２６を備えているが、充電プラグ９２は、この保持部２６に係合する係合部９３を備えている。図５及び図６に示すように、係合部９３が保持部２６に引っ掛かることにより、充電プラグ９２がコンセント１１に接続された状態を維持するが、被覆部２２が移動すれば、保持部２６と係合部９３の係合状態は解除されうる。このような状況を回避するため、本実施形態では、充電プラグ９２を保持した被覆部２２が開方向に移動することを規制する、詳しくは、充電プラグ９２を保持した被覆部２２が開方向に移動することを規制する位置に移動可能な規制部８１を備えている。実施形態の規制部８１は、図７に示す状態では、充電プラグ９２を保持した被覆部２２が開方向に移動自在なため、充電プラグ９２が抜け落ちることがあり得るが、被覆部２２が充電プラグ９２を保持した状態において、図８に示したように規制部８１の先端が前方側に向くようにすれば、充電プラグ９２を保持した被覆部２２が開方向に移動することを規制することができる（図９及び図１０参照）。
【００２１】
実施形態の規制部８１は、被覆部２２の後面側に位置することによって被覆部２２が開方向に回動することを規制している。実施形態の規制部８１は概略直方体状に形成されており、被覆部２２の左右方向の中心位置付近と対向するように位置することができる。この規制部８１は本体部１２に対して図示しない蝶番部で軸支され回動可能となっている。規制部８１が立ち上がるような状態になった際には、この規制部８１は被覆部２２が開方向に移動することを規制するものでは無いが、規制部８１が横方向に延びるように倒された状態とすることで、この規制部８１は被覆部２２が開方向に移動することを規制することができる。
【００２２】
実施形態の本体部１２には、規制部８１を収納可能な収納部６１を備えており、規制部８１が立ち上がった状態においては、規制部８１の全て若しくは大半を収納部６１の中に収納することができる。実施形態の規制部８１は被覆部２２に設けられたフック片２７と当接することができる。被覆部２２は蝶番部７１を介して本体部１２に連結されているが、この当接する部分は、蝶番部７１と反対側の端部における最も背面側に位置する部位となる。規制部８１は、蝶番部７１と反対側の端部における最も背面側に位置する部位で被覆部２２と当接することで、被覆部２２が開方向に移動することを規制するため、被覆部２２の移動を十分に規制しつつ、規制部８１の長さを抑制することができる。また、規制部８１の長さが抑制されることから収納部６１の大きさも抑制することができる。なお、実施形態では、規制部８１を回動させることで、被覆部２２が開方向に移動することを規制する規制部８１を退避させることができるような構成としていることから、収納部６１の大きさを抑制することができる。
【００２３】
ところで、実施形態では、規制部８１を操作可能な操作片８２を規制部８１に連結している。このため、規制部８１と離れた位置に設けた操作片８２を操作すれば規制部８１を操作できる。したがって、規制部８１の移動を容易に行うことができる。実施形態の操作片８２は、図示しない回転軸を介して規制部８１と連結されており、操作片８２を回動させることにより、規制部８１を回動させることができる。
【００２４】
実施形態では、操作片８２を規制部８１の両側に設けている。このいずれを操作しても規制部８１を操作することができるため、使用者や設置場所の都合により、使用しやすい操作片８２を選択することができる。なお、被覆部２２は操作片８２と操作片８２の間を移動可能なように構成されているため、操作片８２や被覆部２２を移動させても操作片８２と被覆部２２が衝突することが無く、互いの動きの自由度を確保することができる。
【００２５】
ところで、実施形態においては、錠部が通過可能な孔部４９を操作片８２に備えるとともに、前記錠部が通過可能な孔部２９を本体部１２に備えている。また、規制部８１が被覆部２２の開方向への移動を規制した状態とした際に、操作片８２の孔部４９と本体部１２の孔部２９が対向するように構成されている。この状態では、操作片８２の孔部４９と本体部１２の孔部２９に錠部１００が通過可能となる。このため、図１３に示すように、南京錠などの錠部１００の一部を孔部２９と孔部４９に通して、ロックすれば、規制部８１の移動が規制されるため、保持部２６が充電プラグ９２を保持した状態を維持することができる。なお、カバー部１３の上部は充電プラグ９２を仮置きできるように凹状となっている。
【００２６】
ところで、錠部１００を用いて操作片８２の移動を規制する方法は、図１３に示すような態様に限るものでは無い。操作片８２と本体部１２の一方に、錠部１００を通過させる孔部２９（孔部４９）を形成し、他方に錠部１００が当接する当接部を形成し、規制部８１が被覆部２２の開方向への移動を規制した状態とした際に、一方の孔部２９（孔部４９）に錠部１００を通過させることによって、錠部１００が当接部に当接し操作片８２の移動を規制するものであればよい。
【００２７】
図１３などに示す例では、南京錠などの錠部１００を通過させたとき、孔部４９（孔部２９）の内面が錠部１００が当接する当接部として作用する。このため、操作片８２の移動を規制することができる。ところで、規制部８１が被覆部２２の開方向への移動を規制した状態とした際に、操作片８２の孔部４９と本体部１２の孔部２９が対向するように構成されている必要は無い。例えば図１４に示すように、孔部４９、２９を各々ずらして錠部１００を通過させるものであってもよい。この場合、錠部１００が動かないようにしておく。なお、この錠部１００の当接部は孔部に限るものではない。例えば図１５に示すように、本体部１２の一方に孔部２９を形成し、他方の操作片８２と一体に当接部９０を形成しておき、錠部１００を本体部１２の孔部２９に通過させたとき、当接部９０が錠部と当接し、操作片８２が動かないようにすることもできる。こちらの場合も錠部１００が動かないようにしておく。
【００２８】
上記したように、充電プラグを保持した被覆部が開方向に移動することを規制する規制部８１を設けることによって、充電プラグ９２を挿し込み方向と反対方向に引っ張っても外れにくくなる。ただし、充電プラグ９２を前側に引っ張りながら引き抜くようにやや強引に力をかけると、充電プラグ９２が抜ける場合もあり得る。したがって、充電プラグ９２が脱落することを防止するためには、充電プラグ９２を保持した状態において、充電プラグ９２が前面側に移動することを規制するための抑制部９５を形成することが好ましい。抑制部９５としては、面ファスナーを用いることが例示できる。図１１に示すように、面ファスナーで、充電プラグ９２と被覆部２２を結束するものとすれば、常に被覆部２２の保持部２６と充電プラグ９２が係合する形になるので脱落しない。なお、規制部８１は突状のものとして説明したが、例えば、被覆部２２に突状の突起部を形成し、本体部に突起部を係止する孔部を形成するものであっても良い。
【００２９】
また、本体部１２に抑制部９５を着脱できるように構成しても良い。例えば、抑制部９５を本体部１２に装着することで、図１２に示すように、抑制部９５が充電プラグ９２の前方を覆うように位置するものとすれば良い。この例では、抑制部９５は本体部１２に形成したものであるが、カバー部１３に形成し、カバー部１３の開閉にあわせて抑制部９５を移動するようにすることができる。規制部８１及び抑制部９５を用いることによってより強固に充電プラグ９２の脱落を防止させることが可能である。
【００３０】
なお、抑制部９５のみで保持部２６の脱落を規制することも可能である。この場合、充電プラグ９２が差し込まれるプラグ差込口を備えたコンセント１１と、プラグ差込口を覆うことが可能な被覆部２２を備え、この被覆部２２には、プラグ差込口に挿された充電プラグ９２を保持する保持部２６を備えたコンセントユニット１であって、充電プラグ９２を被覆部２２に保持した状態において、充電プラグ９２が前面側に移動することを規制する抑制部９５を設けたコンセントユニット１とすればよい。
【００３１】
以上、実施形態を例に挙げて本発明について説明してきたが、本発明は上記実施形態に限定されることはなく、各種の態様とすることが可能である。例えば、規制部は回動するものである必要は無いため、スライド移動するものとしても良い。
【符号の説明】
【００３２】
１  コンセントユニット
１１  コンセント
１２  本体部
２２  被覆部
２６  保持部
２９  孔部（本体部）
４９  孔部（操作片）
７１  蝶番部
８１  規制部
８２  操作片
９２  充電プラグ
９５  抑制部
【図１】
2020047531.tif 000003
【図２】
2020047531.tif 000004
【図３】
2020047531.tif 000005
【図４】
2020047531.tif 000006
【図５】
2020047531.tif 000007
【図６】
2020047531.tif 000008
【図７】
2020047531.tif 000009
【図８】
2020047531.tif 000010
【図９】
2020047531.tif 000011
【図１０】
2020047531.tif 000012
【図１１】
2020047531.tif 000013
【図１２】
2020047531.tif 000014
【図１３】
2020047531.tif 000015
【図１４】
2020047531.tif 000016
【図１５】
2020047531.tif 000017